(57)【要約】【課題】アンテナ３の方向を高感度の得られる方向に調整可能であり、隣のＵＳＢコネクタ差込口に他の拡張装置を直結することが可能なチューナを提供する。【解決手段】チューナ本体２の外部に設けられるそのアンテナ３をチューナ本体２に拘持し、放送信号をアンテナ３から前記チューナ本体２へ伝送するアンテナコネクタ４と、チューナ本体２に固定され外部装置６に接続し検波された放送信号を外部装置６に伝送するＵＳＢコネクタ５とを有し、チューナ本体２からＵＳＢコネクタ５に向かってチューナ本体２の右側にアンテナ３のアンテナ本体３ｅの下端を配置する右側ポジション３Ｒと、チューナ本体２の左側にアンテナ本体３ｅの下端を配置する左側ポジション３Ｌと、チューナ本体２の手前側にアンテナ本体３ｅの下端を配置するセンタポジション３Ｃとの少なくとも２つを相互に変更して設定できる。【選択図】図１
0003136403.tif 000002
【実用新案登録請求の範囲】
【請求項１】
放送信号を受信するアンテナ本体およびアンテナプラグを備えるアンテナと、
前記放送信号を検波するチューナ本体と、
前記アンテナプラグと嵌合して、前記アンテナを、前記チューナ本体に着脱自在に拘持し、前記放送信号を前記アンテナから前記チューナ本体へ伝送するアンテナコネクタと、
前記チューナ本体に固定され、外部装置に接続し、検波された前記放送信号を前記外部装置に伝送する外部接続用コネクタとを有し、
前記アンテナコネクタは、
前記チューナ本体から前記外部接続用コネクタに向かって、前記チューナ本体の右側に、前記アンテナ本体の下端を配置する右側ポジションに配置可能な位置と、
前記チューナ本体から前記外部接続用コネクタに向かって、前記チューナ本体の左側に、前記アンテナ本体の下端を配置する左側ポジションに配置可能な位置と、
前記チューナ本体から前記外部接続用コネクタに向かって、前記チューナ本体の手前側に、前記アンテナ本体の下端を配置するセンタポジションに配置可能な位置との少なくとも２つの位置に設けられていることを特徴とするチューナ。
【請求項２】
放送信号を受信するアンテナ本体を備えるアンテナと、
前記放送信号を検波するチューナ本体と、
前記アンテナを、前記チューナ本体に拘持し、前記放送信号を前記アンテナから前記チューナ本体へ伝送するアンテナコネクタと、
前記チューナ本体に固定され、外部装置に接続し、検波された前記放送信号を前記外部装置に伝送する外部装置接続用コネクタとを有し、
前記アンテナコネクタは、全体または一部を前記チューナ本体に対して回動させることにより、
前記チューナ本体から前記外部接続用コネクタに向かって、前記チューナ本体の右側に、前記アンテナ本体の下端を配置する右側ポジションと、
前記チューナ本体から前記外部接続用コネクタに向かって、前記チューナ本体の左側に、前記アンテナ本体の下端を配置する左側ポジションと、
前記チューナ本体から前記外部接続用コネクタに向かって、前記チューナ本体の手前側に、前記アンテナ本体の下端を配置するセンタポジションとの少なくとも２つを相互に変更して設定できることを特徴とするチューナ。
【請求項３】
前記アンテナコネクタの全体または一部の前記チューナ本体に対する回動の回動軸が、前記チューナ本体に対して移動することを特徴とする請求項２に記載のチューナ。
【請求項４】
前記アンテナコネクタの全体または一部の前記チューナ本体に対する回動の回動軸が、前記アンテナコネクタの全体または一部から外れた前記チューナ本体上に設けられていることを特徴とする請求項２に記載のチューナ。
【請求項５】
前記アンテナコネクタの全体または一部の前記チューナ本体に対する回動の回動軸が、前記チューナ本体から前記ＵＳＢコネクタに向かう方向に垂直であり、前記チューナ本体の前記右側から前記左側へ向かう方向に垂直であることを特徴とする請求項３または請求項４に記載のチューナ。
【請求項６】
前記アンテナコネクタの全体または一部の前記チューナ本体に対する回動の回動軸が、前記チューナ本体から前記ＵＳＢコネクタに向かう方向に平行であることを特徴とする請求項３に記載のチューナ。
【請求項７】
放送信号を受信するアンテナ本体を備えるアンテナと、
前記放送信号を検波するチューナ本体と、
前記アンテナを、前記チューナ本体に拘持し、前記放送信号を前記アンテナから前記チューナ本体へ伝送するアンテナコネクタと、
前記チューナ本体に固定され、外部装置に接続し、検波された前記放送信号を前記外部装置に伝送する外部装置接続用コネクタとを有し、
前記アンテナは、一部を前記チューナ本体に対して回動させることにより、
前記チューナ本体から前記外部接続用コネクタに向かって、前記チューナ本体の右側に、前記アンテナ本体の下端を配置する右側ポジションと、
前記チューナ本体から前記外部接続用コネクタに向かって、前記チューナ本体の左側に、前記アンテナ本体の下端を配置する左側ポジションと、
前記チューナ本体から前記外部接続用コネクタに向かって、前記チューナ本体の手前側に、前記アンテナ本体の下端を配置するセンタポジションとの少なくとも２つを相互に変更して設定できることを特徴とするチューナ。
【考案の詳細な説明】
【技術分野】
【０００１】
本考案は、外部装置たとえばパーソナルコンピュータ（ＰＣ）の外部接続用（たとえばＵＳＢ：Universal Serial Bus）コネクタ差込口に取り付けられて、外部装置に放送信号を受信し検波するという機能を加えることで、外部装置の機能を拡張するチューナに関する。
【背景技術】
【０００２】
地上デジタルテレビジョン放送（ISDB-T）では、１つのチャンネルが１３のセグメントに分かれた構造となっているが、この１３セグメントの内の１セグメントを用いて、いわゆるワンセグ放送が実施されている。ワンセグ放送では、ＵＨＦ電波を利用しているので、チューナを小型化でき、携帯電話やノートパソコン等のモバイル端末に搭載することができる。
【０００３】
そして、チューナが搭載されていないノートパソコン等のＰＣにおいては、ＰＣのＵＳＢコネクタ差込口にこのチューナを取り付けて、ＰＣに放送信号を受信し検波するというチューナ機能を加えることで、ＰＣの機能を拡張する拡張装置（チューナ）が提案されている。チューナには放送信号受信用のアンテナが設けられるが、放送信号受信用に限らずアンテナの方向を高感度な方向に調整可能になっているものは提案されている（例えば、特許文献１参照）。
【０００４】
しかし、ＰＣのＵＳＢコネクタ差込口に、このチューナを直結して使用すると、ＰＣのＵＳＢコネクタ差込口の方向によっては、チューナのアンテナの方向が高感度の得られる方向に調整できない場合があった。また、ＰＣに複数のＵＳＢコネクタ差込口が近接して配置されていると、チューナのアンテナが隣のＵＳＢコネクタ差込口に取り付けられた他の拡張装置に干渉して、ＰＣのＵＳＢコネクタ差込口にチューナを直結できない場合があった。逆に、チューナをＰＣのＵＳＢコネクタ差込口にチューナを直結させると、隣のＵＳＢコネクタ差込口に他の拡張装置を直結できない場合があった。
【特許文献１】特開２００４−２４７９４０号公報（図３等）
【考案の開示】
【考案が解決しようとする課題】
【０００５】
そこで、本考案では、アンテナの方向を高感度の得られる方向に調整可能であり、隣のＵＳＢコネクタ差込口に他の拡張装置を直結することが可能なチューナを提供することを目的とする。
【課題を解決するための手段】
【０００６】
前記課題を解決するため、本考案は、放送信号を受信するアンテナ本体を備えるアンテナと、前記放送信号を検波するチューナ本体と、前記チューナ本体の外部に設けられる前記アンテナを、前記チューナ本体に拘持し、前記放送信号を前記アンテナから前記チューナ本体へ伝送するアンテナコネクタと、前記チューナ本体に固定され、外部装置に接続し、検波された前記放送信号を前記外部装置に伝送する外部接続用コネクタとを有し、前記チューナ本体から前記外部接続用コネクタに向かって、前記チューナ本体の右側に、前記アンテナのアンテナ本体の下端を配置する右側ポジションと、前記チューナ本体から前記外部接続用コネクタに向かって、前記チューナ本体の左側に、前記アンテナ本体の下端を配置する左側ポジションと、前記チューナ本体から前記外部接続用コネクタに向かって、前記チューナ本体の手前側に、前記アンテナ本体の下端を配置するセンタポジションとの少なくとも２つを相互に変更して設定できるチューナであることを特徴としている。
【０００７】
右側ポジションと、左側ポジションと、センタポジションのどれか１つのポジションにおいて、アンテナの方向を高感度の方向に調整できない場合、他の２つのポジションに変更することで、アンテナの方向を高感度の方向に調整可能にできる。これは、どれか１つのポジションでは、向けられない方向に、他の２つのポジションはそれぞれ向けることができるからである。本考案では、このように、ポジション間を相互に変更して設定できるので、高い確率でアンテナの方向を高感度の方向に調整可能にできる。
【０００８】
また、右側ポジションと、左側ポジションと、センタポジションのどれか１つのポジションにおいて、チューナが、隣のＵＳＢコネクタ差込口に直結された他の拡張装置に干渉する場合、他の２つのポジションに変更することで、干渉を回避できる。これも前記理由と同じく、どれか１つのポジションでは、向けられないアンテナの方向や配置できない場所に、他の２つのポジションではそれぞれ向けたり配置したりすることができるからである。本考案では、ポジション間を相互に変更して設定できるので、高い確率でアンテナと他の拡張装置との干渉を回避し、隣のＵＳＢコネクタ差込口に他の拡張装置を直結することができる。
【考案の効果】
【０００９】
本考案によれば、アンテナの方向を高感度の得られる方向に調整可能であり、隣のＵＳＢコネクタ差込口に他の拡張装置を直結することが可能なチューナを提供できる。
【考案を実施するための最良の形態】
【００１０】
次に、本考案の実施形態について、適宜図面を参照しながら詳細に説明する。なお、各図において、共通する部分には同一の符号を付し重複した説明を省略する。
【００１１】
（第１の実施の形態）
図１に、本考案の第１の実施形態に係るチューナ１の平面図を示す。チューナ１は、放送信号を受信するアンテナ３と、前記放送信号を検波するチューナ本体２と、チューナ本体２の外部に設けられるアンテナ３をチューナ本体２に拘持でき、放送信号をアンテナ３からチューナ本体２へ伝送することが可能な複数のアンテナコネクタ４（４Ｒ、４Ｃ、４Ｌ）とを有している。また、チューナ１は、チューナ本体２に固定され外部装置に接続可能であり、検波された前記放送信号を外部装置に伝送することができるＵＳＢコネクタ５を有している。
【００１２】
アンテナコネクタ４は、チューナ本体２からＵＳＢコネクタ５に向かって、チューナ本体２の右側に配置された右側アンテナコネクタ４Ｒと、チューナ本体２の左側に配置された左側アンテナコネクタ４Ｌと、チューナ本体２の手前側に配置されたセンタアンテナコネクタ４Ｃとの少なくとも２つのアンテナコネクタで構成することができる。
【００１３】
図１では、アンテナ３は、実線で示すように、左側アンテナコネクタ４Ｌに接続している。このことにより、アンテナ３のアンテナ本体３ｅの下端を、チューナ本体２からＵＳＢコネクタ５に向かってチューナ本体２の左側に配置することができる。なお、アンテナ３のアンテナ本体３ｅの下端の、チューナ本体２からＵＳＢコネクタ５に向かってチューナ本体２の左側への配置を、左側ポジション３Ｌとする。
【００１４】
前記アンテナ３は、右側アンテナコネクタ４Ｒ、左側アンテナコネクタ４Ｌ、センタアンテナコネクタ４Ｃのそれぞれに対して着脱可能になっている。したがって、アンテナ３は、図１に二点鎖線で示すように、右側アンテナコネクタ４Ｒに接続することで、チューナ本体２からＵＳＢコネクタ５に向かって、チューナ本体２の右側に、アンテナ３のアンテナ本体３ｅの下端を配置することができ、この配置を右側ポジション３Ｒとすることができる。
【００１５】
また、アンテナ３は、図１に点線で示すように、センタアンテナコネクタ４Ｃに接続することで、チューナ本体２からＵＳＢコネクタ５に向かって、チューナ本体２の手前側に、アンテナ本体３ｅの下端を配置することができ、この配置をセンタポジション３Ｃとすることができる。
【００１６】
右側アンテナコネクタ４Ｒ、左側アンテナコネクタ４Ｌ、センタアンテナコネクタ４Ｃのどれか１つを選択して、前記アンテナ３に接続することにより、右側ポジション３Ｒと、左側ポジション３Ｌと、センタポジション３Ｃとを相互に変更して設定できることができる。
【００１７】
また、前記アンテナ３は、右側アンテナコネクタ４Ｒ、左側アンテナコネクタ４Ｌ、センタアンテナコネクタ４Ｃに対して着脱可能になっているので、アンテナ３を外して、換わりに、外部アンテナを、右側アンテナコネクタ４Ｒ、左側アンテナコネクタ４Ｌ、センタアンテナコネクタ４Ｃに接続することが可能である。たとえば、チューナ１が電波強度の弱い室内に置かれた場合に、アンテナ３に換えて、右側アンテナコネクタ４Ｒ、左側アンテナコネクタ４Ｌ、センタアンテナコネクタ４ＣのどれかにＦ型コネクタ変換ケーブルを接続する。そして、このＦ型コネクタを室内に引かれたＴＶ用アンテナ線に接続する。こうすることで、屋根等の室外に置かれたＴＶ用アンテナにチューナ１（右側アンテナコネクタ４Ｒ、左側アンテナコネクタ４Ｌ、センタアンテナコネクタ４Ｃ）を接続することができ、高感度に放送信号を検波することができる。また、電波強度の弱い室内であっても、その室内の窓辺など場所によっては電波強度が強くなっている場合がある。この場合には、その電波強度の強い場所に外部アンテナを置き、その外部アンテナに接続されたケーブルをチューナ１（右側アンテナコネクタ４Ｒ、左側アンテナコネクタ４Ｌ、センタアンテナコネクタ４Ｃ）に接続することで、感度を高めることができる。
【００１８】
前記アンテナ３は、アンテナ３の中心軸に垂直な方向を回転軸として回動可能な軸垂直回動軸３ａと、軸垂直回動軸３ａに対してアンテナ３の根元側に設けられ、アンテナ３の中心軸に平行な方向を回転軸として回動可能な軸平行回動軸３ｂと、軸垂直回動軸３ａに対してアンテナ３の先端側に設けられ、放送信号を受信するアンテナ本体３ｅとを有している。また、アンテナ３は、受信された放送信号をアンテナ３からアンテナコネクタ４へ伝送するためにアンテナコネクタ４に接続するアンテナプラグ３ｃを有している。アンテナ本体３ｅは指向性を有するので、放送信号を高感度に受信するためには、アンテナ本体３ｅを特定の方向に向けたまま、チューナ本体２に拘持することが必要である。なお、アンテナプラグ３ｃとアンテナコネクタ４のアンテナプラグホール４ｃ（図２参照）には、イヤホンのプラグとソケットと同じ構造のものを用いることができる。そのため、これらの構造の詳細な説明は省略する。そして、これらの構造であれば、アンテナプラグ３ｃはアンテナコネクタ４のアンテナプラグホール４ｃに拘持されたまま、アンテナ３の中心軸に平行な方向を回転軸としてアンテナ３は回動することができる。このことによれば、同様にアンテナ３を回動させる前記軸平行回動軸３ｂを省くことができる。
【００１９】
図２に、本考案の第１の実施形態に係るチューナ１（アンテナ３を外した状態）の斜視図を示す。アンテナコネクタ４は、アンテナプラグ３ｃが差し込まれるアンテナプラグホール４ｃを有している。
【００２０】
図３に、本考案の第１の実施形態に係るチューナ１から外したアンテナ３の斜視図を示す。アンテナ本体３ｅは、複数の筒が多重に収められており、それらの筒の重なりの長さを変えることで伸縮自在になっている。そして、アンテナ本体３ｅを、チューナ１を使用する際には、受信する放送信号の載ったＵＨＦ電波の波長に応じた長さに伸ばして使用し、チューナ１を使用しない際には、アンテナ本体３ｅを縮めて収納することができる。ちなみに、ＵＨＦ帯の電波の波長は６０ｃｍほどで、アンテナ本体３ｅの長さを波長の４分の１とすれば１５ｃｍになり、短縮率を考慮すれば十数ｃｍ（１５ｃｍ以下）のアンテナになる。
【００２１】
軸垂直回動軸３ａと軸平行回動軸３ｂとはそれぞれ独立して回動することにより、アンテナ本体３ｅの先端は、軸垂直回動軸３ａに中心を持つ半球面上をもれなく移動することができる。このように、アンテナ本体３ｅの先端が半球面上をもれなく移動することができるのであれば、高感度なアンテナ本体３ｅの方向を必ず見つけることができる。なお、全球面でなく半球面でよいのは、ある方向の全球面の中心に対して点対称な逆方向で高感度になるになるのであれば、そのある方向でも同程度に高感度になるからである。しかし、後記するように、アンテナ本体３ｅの置かれる状況により、周辺物が干渉し、半球面上の移動が確保できなくなっている場合がある。第１の実施形態では、右側ポジション３Ｒ、左側ポジション３Ｌ、センタポジション３Ｃのそれぞれでは、半球面上の移動が確保できない場合でも、それぞれの移動範囲は異なるので、それらを重ね合わせ、実質的に半球上のもれなき移動を可能にしている。すなわち、右側ポジション３Ｒ、左側ポジション３Ｌ、センタポジション３Ｃの少なくとも１つのポジションにおいて、高感度な方向が得られることを可能にしている。
【００２２】
図４に、本考案の第１の実施形態に係るチューナ１を、外部装置であるパーソナルコンピュータ（ＰＣ）６のＵＳＢコネクタ差込口６ｂに差込み、ＰＣ６に直接接続した状態を示している。ＰＣ６の側面には、２つのＵＳＢコネクタ差込口６ａ、６ｂが上下に配置（垂直配列）されている。そして、チューナ１の上方には、他の拡張装置７が配置されている。他の拡張装置７も、ＵＳＢコネクタをＵＳＢコネクタ差込口６ａに差込み、ＰＣ６にＵＳＢコネクタを介して接続している。
【００２３】
図５（ａ）は、ＰＣ６の側面に図４と同様に上下に配置された２つのＵＳＢコネクタ差込口６ａ、６ｂの配置を示している。このような配置において、上側のＵＳＢコネクタ差込口６ａに他の拡張装置７を接続し、下側のＵＳＢコネクタ差込口６ｂにチューナ本体２を接続した状態を図５（ｂ）に示している。アンテナ３は右側ポジション３Ｒに配置されている。アンテナ本体３ｅが、軸垂直回動軸３ａの図５（ｂ）の紙面上の右側に配置される限りは、図５（ｂ）に実線で示すように、アンテナ本体３ｅは拡張装置７に干渉されることなく任意の方向に向けることができる。しかし、アンテナ本体３ｅを、軸垂直回動軸３ａの図５（ｂ）の紙面上の左側に配置しようとすると、図５（ｂ）に点線で示すように、アンテナ本体３ｅは拡張装置７に干渉され、拡張装置７の方向に向けることができない。
【００２４】
なお、チューナ本体２を上段のＵＳＢコネクタ差込口６ａに接続すれば、図５（ｂ）の点線のアンテナ３の干渉は生じないと考えられるが、図５（ｃ）に示すように、下段のＵＳＢコネクタ差込口６ｂに拡張装置７を接続すると、拡張装置７の上面が上段のＵＳＢコネクタ差込口６ａに近くなりすぎて、上段のＵＳＢコネクタ差込口６ａにチューナ本体２が接続できない場合もある。このような場合でも、拡張装置７とチューナ本体２の両方をＵＳＢコネクタ差込口６ａ、６ｂに接続するためには、図５（ｄ）に示すように、上側のＵＳＢコネクタ差込口６ａに他の拡張装置７を接続し、下側のＵＳＢコネクタ差込口６ｂにチューナ本体２を接続せざるをえない。ただ、図５（ｂ）とは異なり、アンテナ３を左側ポジション３Ｌに配置することで、拡張装置７に干渉されて右側ポジション３Ｒでは不可能であったアンテナ本体３ｅの向きを実現できている。
【００２５】
図６には、ＰＣ６の側面に２つのＵＳＢコネクタ差込口６ａ、６ｂが左右に配置（水平配列）されている場合を示している。本考案の第１の実施形態に係るチューナ１を、右側のＵＳＢコネクタ差込口６ｂに差込み、ＰＣ６に直接接続している。そして、チューナ１の左側には、他の拡張装置７が配置されている。他の拡張装置７は、ＵＳＢコネクタが左側のＵＳＢコネクタ差込口６ａに差し込まれ、ＰＣ６に接続している。
【００２６】
図７（ａ）は、ＰＣ６の側面に図６と同様に左右に配置された２つのＵＳＢコネクタ差込口６ａ、６ｂの配置を示している。このような配置において、左側のＵＳＢコネクタ差込口６ａに他の拡張装置７を接続し、右側のＵＳＢコネクタ差込口６ｂにチューナ本体２を接続した状態を図７（ｂ）に示している。アンテナ３は右側ポジション３Ｒに配置されている。ＰＣ６（図６参照）は一般に机上のような平板の上に置かれて使用されるので、アンテナ本体３ｅを、軸垂直回動軸３ａより上に向けることはできるが、軸垂直回動軸３ａより下に向けようとしても机の平板に干渉され下に向けることができない。すなわち、アンテナ本体３ｅの先端は、軸垂直回動軸３ａに中心を持つ半球面の半分、すなわち球面の４分の１しか移動できない。そこで、図７（ｃ）に示すように、左側のＵＳＢコネクタ差込口６ａにチューナ本体２を接続し、右側のＵＳＢコネクタ差込口６ｂに他の拡張装置７を接続して、チューナ本体２と拡張装置７の左右の配置を入れ替え、アンテナ３を左側ポジション３Ｌに配置する。このように配置しても、アンテナ本体３ｅは机の平板に干渉され下に向けることができないので、アンテナ本体３ｅの先端は、軸垂直回動軸３ａに中心を持つ球面の４分の１しか移動できない。しかし、右側ポジション３Ｒにおける４分の１の球面と、左側ポジション３Ｌにおける４分の１の球面とを合わせることにより、実質的に半球面分の移動を可能にしている。したがって、アンテナ本体３ｅを高感度な方向に必ず向けることができると考えられる。
【００２７】
図８に示すように、拡張装置７の左側面がＵＳＢコネクタ差込口６ａから大きく離れている場合がある。このような場合でも、拡張装置７とチューナ本体２の両方をＵＳＢコネクタ差込口６ａ、６ｂに接続するためには、左側のＵＳＢコネクタ差込口６ａに他の拡張装置７を接続し、右側のＵＳＢコネクタ差込口６ｂにチューナ本体２を接続せざるをえない。このような場合、図８に点線で示すように、アンテナ３を右側ポジション３Ｒに配置することはできるが、左側ポジション３Ｌに配置することはできない。そこで、図８の実線に示すように、アンテナ３をセンタポジション３Ｃに配置することで、右側ポジション３Ｒのみでは不可能であったアンテナ本体３ｅの向きを実現している。
【００２８】
図６乃至図８では、ＵＳＢコネクタ差込口６ｂに差し込まれたチューナ１と、これに対して水平に配置されＵＳＢコネクタ差込口６ａに差し込まれた他の拡張装置７との干渉について説明したが、このチューナ１との干渉は、ＵＳＢコネクタ差込口６ａに差し込まれた他の拡張装置７に置き換えて、チューナ１に対して水平に配置され、スロットに差し込まれたＰＣカードやメモリカード、ＩＥＥＥ１３９４コネクタなどに接続するカップラとケーブルも含めた拡張装置７に対しても生じる。そして、これらに対する干渉についても、チューナ１は図６乃至図８での説明と同様に対処することで干渉を回避することができる。すなわち、図７に対応して、コネクタの種類によらず拡張装置７が、チューナ１の右側に配置されたり（図７（ｃ）に対応）、左側に配置されたり（図７（ｂ）に対応）することはよくあることである。拡張装置７がチューナ１の右側に配置された場合は、図７（ｃ）に示すようにアンテナ３を左側ポジション３Ｌに配置することで干渉を回避することができる。拡張装置７がチューナ１の左側に配置された場合は、図７（ｂ）に示すようにアンテナ３を右側ポジション３Ｒに配置することで干渉を回避することができる。そして、拡張装置７がチューナ１の左右両側に配置された場合は、図８に示すようにアンテナ３をセンタポジション３Ｃに配置することで干渉を回避することができる。
【００２９】
このように、第１の実施形態によれば、右側ポジション３Ｒと、左側ポジション３Ｌと、センタポジション３Ｃのどれか１つのポジションにおいて、アンテナ３の方向を高感度の方向に調整できない場合、他の２つのポジションに変更することで、アンテナ３の方向を高感度の方向に調整可能にできる。そして、この調整は、アンテナ３を、右側アンテナコネクタ４Ｒと、左側アンテナコネクタ４Ｌと、センタアンテナコネクタ４Ｃとの間で接続を変更することによって実施することができる。
【００３０】
また、右側ポジション３Ｒと、左側ポジション３Ｌと、センタポジション３Ｃのどれか１つのポジションにおいて、チューナ１が、隣のＵＳＢコネクタ差込口６ａに直結された他の拡張装置７に干渉する場合、他の２つのポジションに変更することで、干渉を回避することができる。
【００３１】
また、右側ポジション３Ｒと、左側ポジション３Ｌと、センタポジション３Ｃの少なくとも２以上のポジションのそれぞれに、１本ずつアンテナ３を接続してもよい。このことによれば、例えば、ダイバーシティに対応でき、受信性能を向上させることができる。
【００３２】
（第２の実施の形態）
図９（ａ）に、本考案の第２の実施形態に係るチューナ１の平面図を示す。第２の実施形態が、第１の実施形態と異なっている点は、アンテナコネクタ４が１つになり、アンテナコネクタ４の全体がチューナ本体２に対して可動、具体的には回動する点である。
【００３３】
アンテナコネクタ４は、アンテナコネクタ４の全体をチューナ本体２に対して回動させる回動軸４ａを有している。回動軸４ａの方向は、チューナ本体２からＵＳＢコネクタ５に向かう方向に垂直であり、かつ、チューナ本体２からＵＳＢコネクタ５に向かってチューナ本体２の前記右側から前記左側へ向かう方向に垂直である。そして、アンテナコネクタ４は、チューナ本体２の上面に平行な平面上に沿って回動することができる。そして、アンテナコネクタ４が回動することにより、アンテナ３も伴って回動するので、アンテナ３を、前記右側ポジション３Ｒと、前記左側ポジション３Ｌと、前記センタポジション３Ｃとのそれぞれに設定することができる。
【００３４】
図９（ｂ）には、具体的に、アンテナ３が、左側ポジション３Ｌとセンタポジション３Ｃとの間を遷移し、左側ポジション３Ｌとセンタポジション３Ｃとを相互に変更している状況を示している。
【００３５】
第２の実施形態においても、アンテナ３を、前記右側ポジション３Ｒと、前記左側ポジション３Ｌと、前記センタポジション３Ｃとに設定することができるので、第１の実施形態と同様な効果を得ることができる。
【００３６】
また、アンテナ３は、第１の実施形態と同様にアンテナコネクタ４に対して着脱可能になっているので、アンテナ３を外して、換わりに、外部アンテナ、特に、室外に置かれたＴＶ用アンテナに接続することもできる。このことは後記する実施の形態でも同様に実施することができる。
【００３７】
（第３の実施の形態）
図１０（ａ）に、本考案の第３の実施形態に係るチューナ１の平面図を示す。第３の実施形態が、第２の実施形態と異なっている点は、アンテナコネクタ４の一部がチューナ本体２に固定され、アンテナコネクタ４の他の一部が、その固定された他の一部に対して可動し、具体的には回動している点である。
【００３８】
アンテナコネクタ４の一部が回動することにより、アンテナ３も伴って回動するので、アンテナ３を、前記右側ポジション３Ｒと、前記左側ポジション３Ｌと、前記センタポジション３Ｃとのそれぞれに設定することができる。図１０（ｂ）には、具体的に、アンテナ３が、左側ポジション３Ｌとセンタポジション３Ｃとの間を遷移し、左側ポジション３Ｌとセンタポジション３Ｃとを相互に変更している状況を示している。
【００３９】
第３の実施形態においても、アンテナ３を、前記右側ポジション３Ｒと、前記左側ポジション３Ｌと、前記センタポジション３Ｃとに設定することができるので、第１の実施形態及び第２の実施形態と同様な効果を得ることができる。
【００４０】
（第４の実施の形態）
図１１（ａ）に、本考案の第４の実施形態に係るチューナ１の平面図を示す。第４の実施形態が、第２の実施形態と異なっている点は、アンテナコネクタ４のチューナ本体２に対する回動の回動軸４ａが、チューナ本体２に対して移動している点である。回動軸４ａを回動に伴って移動させることで、アンテナコネクタ４を小さくしても、アンテナ３を、前記右側ポジション３Ｒと、前記左側ポジション３Ｌと、前記センタポジション３Ｃとのそれぞれに設定することができる。すなわち、アンテナコネクタ４の小型化、さらには、チューナ１の小型化が可能になる。図１１（ｂ）には、具体的に、アンテナ３が、左側ポジション３Ｌとセンタポジション３Ｃとの間を遷移し、左側ポジション３Ｌとセンタポジション３Ｃとを相互に変更している状況を示している。回動軸４ａは、チューナ本体２に形成された軸移動溝８の中を、この軸移動溝８に沿って移動している。軸移動溝８は、半円の円弧に沿う形状に形成されている。
【００４１】
第４の実施形態においても、アンテナ３を、前記右側ポジション３Ｒと、前記左側ポジション３Ｌと、前記センタポジション３Ｃとに設定することができるので、第１の実施形態乃至第３の実施形態と同様な効果を得ることができる。なお、図１１（ｃ）のように、軸移動溝８内の円柱状から扇上の軸スライダ４ｂとすれば、軸移動溝８での軸の回転を規制することができる。この軸スライダ４ｂが軸移動溝８にそってスライドして動くことにより、アンテナコネクタ４は、アンテナコネクタ４から外れたチューナ本体２上に位置する想定される回転軸４ｄに対して回動することになる。
【００４２】
（第５の実施の形態）
図１２（ａ）に、本考案の第５の実施形態に係りアンテナ３がセンタポジション３Ｃに配置されたチューナ１の平面図を示し、図１２（ｂ）に、このセンタポジション３Ｃにおけるチューナ１を、チューナ本体２からＵＳＢコネクタ５への方向に見た側面図を示す。
【００４３】
図１３（ａ）に、本考案の第５の実施形態に係りアンテナ３が右側ポジション３Ｒに配置されたチューナ１の平面図を示し、図１３（ｂ）に、この右側ポジション３Ｒにおけるチューナ１を、チューナ本体２からＵＳＢコネクタ５への方向に見た側面図を示す。
【００４４】
図１４（ａ）に、本考案の第５の実施形態に係りアンテナ３が左側ポジション３Ｌに配置されたチューナ１の平面図を示し、図１４（ｂ）に、この左側ポジション３Ｌにおけるチューナ１を、チューナ本体２からＵＳＢコネクタ５への方向に見た側面図を示す。
【００４５】
図１５（ａ）は、本考案の第５の実施形態に係りアンテナ３がサブセンタポジション３Ｃｓに配置されたチューナ１の平面図を示し、図１５（ｂ）に、このサブセンタポジション３Ｃｓにおけるチューナ１を、チューナ本体２からＵＳＢコネクタ５への方向に見た側面図を示す。
【００４６】
これより、第５の実施形態が、第３の実施形態と異なっている点は、アンテナコネクタ４の一部のチューナ本体２に対する回動の回動軸４ａが、チューナ本体２からＵＳＢコネクタ５に向かう方向に平行になっている点である。アンテナコネクタ４の一部が回動することにより、アンテナ３も伴って回動するので、アンテナ３を、前記右側ポジション３Ｒと、前記左側ポジション３Ｌと、前記センタポジション３Ｃと、前記サブセンタポジション３Ｃｓとのそれぞれに設定することができる。前記右側ポジション３Ｒと、前記左側ポジション３Ｌとの中間のポジションをセンタポジションとすると、第５の実施形態では、センタポジションとして、前記センタポジション３Ｃと、前記サブセンタポジション３Ｃｓとの２つのセンタポジションが存在する。このことによって、一層、外部装置等とアンテナ３との干渉を避けることができると考えられる。
【００４７】
図１６には、具体的に、アンテナ３が、右側ポジション３Ｒとセンタポジション３Ｃとの間を遷移し、右側ポジション３Ｒとセンタポジション３Ｃとを相互に変更している状況を示している。
【００４８】
第５の実施形態においても、アンテナ３を、前記右側ポジション３Ｒと、前記左側ポジション３Ｌと、前記センタポジション３Ｃ（サブセンタポジション３Ｃｓを含む）とに設定することができるので、第１の実施形態乃至第４の実施形態と同様な効果を得ることができる。
【００４９】
（第６の実施の形態）
図１７（ａ）に、本考案の第６の実施形態に係りアンテナ３がセンタポジション３Ｃに配置されたチューナ１の平面図を示し、図１７（ｂ）に、本考案の第６の実施形態に係りアンテナ３が右側ポジション３Ｒに配置されたチューナ１の平面図を示し、図１７（ｃ）に、本考案の第６の実施形態に係りアンテナ３が左側ポジション３Ｌに配置されたチューナ１の平面図を示す。
【００５０】
第６の実施形態が、第５の実施形態と異なっている点は、アンテナコネクタ４を回動させずに、アンテナ３の一部をチューナ本体２に対して回動させることにより、アンテナ３を、右側ポジション３Ｒと、左側ポジション３Ｌと、センタポジション３Ｃとに設定している点である。すなわち、回動軸４ａ（図１４（ａ）参照）が、アンテナコネクタ４からアンテナ３へ移行し、アンテナ３において、軸平行回動軸３ｇに置き換わったと考えることができる。なお、軸平行回動軸３ｇは、軸平行回動軸３ｂと同様に機能する回動軸である。また、アンテナ３は、軸垂直回動軸３ａと同様に機能する軸垂直回動軸３ｆも、軸平行回動軸３ｇに隣接する位置に有しているので、アンテナ３の前記右側ポジション３Ｒと、前記左側ポジション３Ｌと、前記センタポジション３Ｃとのポジション間の移行をスムーズに実施することができる。
【００５１】
第６の実施形態においても、アンテナ３を、前記右側ポジション３Ｒと、前記左側ポジション３Ｌと、前記センタポジション３Ｃとに設定することができるので、第１の実施形態乃至第５の実施形態と同様な効果を得ることができる。
【００５２】
以上説明した本考案は、考案の趣旨を逸脱しない範囲で広く変形実施することができる。
【図面の簡単な説明】
【００５３】
【図１】本考案の第１の実施形態に係るチューナの平面図である。
【図２】本考案の第１の実施形態に係るチューナ（アンテナを外した状態）の斜視図である。
【図３】本考案の第１の実施形態に係るチューナから外したアンテナの斜視図である。
【図４】本考案の第１の実施形態に係るチューナと、このチューナにＵＳＢコネクタを介して接続された外部装置（ＰＣ）と、この外部装置にＵＳＢコネクタを介して接続する他の拡張装置と配置（上下配置）を示す斜視図である。
【図５】（ａ）は、外部装置に上下に配置された２つのＵＳＢコネクタ差込口の配置図であり、（ｂ）は、上側のＵＳＢコネクタ差込口に他の拡張装置を接続し、下側のＵＳＢコネクタ差込口にチューナを接続し、アンテナをチューナ本体の右側（右側ポジション）に配置した際に、アンテナの向きに制限を受けることを示す図であり、（ｃ）は、下側のＵＳＢコネクタ差込口に他の拡張装置を接続すると、上側のＵＳＢコネクタ差込口にチューナが接続できなく場合があることを示す図であり、（ｄ）は、上側のＵＳＢコネクタ差込口に他の拡張装置を接続し、下側のＵＳＢコネクタ差込口にチューナを接続し、アンテナをチューナ本体の左側（左側ポジション）に配置することで、右側ポジションでは不可能であったアンテナの向きが可能になることを示す図である。
【図６】本考案の第１の実施形態に係るチューナと、このチューナにＵＳＢコネクタを介して接続された外部装置（ＰＣ）と、この外部装置にＵＳＢコネクタを介して接続する他の拡張装置と配置（左右配置）を示す斜視図である。
【図７】（ａ）は、外部装置に左右に配置された２つのＵＳＢコネクタ差込口の配置図であり、（ｂ）は、左側のＵＳＢコネクタ差込口に他の拡張装置を接続し、右側のＵＳＢコネクタ差込口にチューナを接続し、アンテナをチューナ本体の右側（右側ポジション）に配置した状況を示す図であり、（ｃ）は、右側のＵＳＢコネクタ差込口に他の拡張装置を接続し、左側のＵＳＢコネクタ差込口にチューナを接続し、アンテナをチューナ本体の左側（左側ポジション）に配置した状況を示す図である。
【図８】左側のＵＳＢコネクタ差込口に左側に突出した他の拡張装置を接続し、右側のＵＳＢコネクタ差込口にチューナを接続し、アンテナをチューナ本体の手前側（センタポジション）に配置することで、アンテナの向きの制限が緩和されることを示す図である。
【図９】（ａ）は、本考案の第２の実施形態に係るチューナの平面図であり、（ｂ）は、左側ポジションとセンタポジションとを相互に変更して設定している状況を示す図である。
【図１０】（ａ）は、本考案の第３の実施形態に係るチューナの平面図であり、（ｂ）は、左側ポジションとセンタポジションとを相互に変更して設定している状況を示す図である。
【図１１】（ａ）は、本考案の第４の実施形態に係るチューナの平面図であり、（ｂ）は、左側ポジションとセンタポジションとを相互に変更して設定している状況を示す図であり、（ｃ）は、回転軸を軸スライダに変更した第４の実施形態の変形例を示す図である。
【図１２】（ａ）は、本考案の第５の実施形態に係るチューナ（センタポジション）の平面図であり、（ｂ）は、本考案の第５の実施形態に係るチューナ（センタポジション）を、チューナ本体からＵＳＢコネクタへの方向に見た側面図である。
【図１３】（ａ）は、本考案の第５の実施形態に係るチューナ（右側ポジション）の平面図であり、（ｂ）は、本考案の第５の実施形態に係るチューナ（右側ポジション）を、チューナ本体からＵＳＢコネクタへの方向に見た側面図である。
【図１４】（ａ）は、本考案の第５の実施形態に係るチューナ（左側ポジション）の平面図であり、（ｂ）は、本考案の第５の実施形態に係るチューナ（左側ポジション）を、チューナ本体からＵＳＢコネクタへの方向に見た側面図である。
【図１５】（ａ）は、本考案の第５の実施形態に係るチューナ（サブセンタポジション）の平面図であり、（ｂ）は、本考案の第５の実施形態に係るチューナ（サブセンタポジション）を、チューナ本体からＵＳＢコネクタへの方向に見た側面図である。
【図１６】本考案の第５の実施形態に係るチューナにおいて、右側ポジションとセンタポジションとを相互に変更して設定している状況を示す図である。
【図１７】（ａ）は、本考案の第６の実施形態に係るチューナ（センタポジション）の平面図であり、（ｂ）は、本考案の第６の実施形態に係るチューナ（右側ポジション）の平面図であり、（ｃ）は、本考案の第６の実施形態に係るチューナ（左側ポジション）の平面図である。
【符号の説明】
【００５４】
１      チューナ
２      チューナ本体
３      アンテナ
３Ｒ    右側ポジションのアンテナ
３Ｃ    センタポジションのアンテナ
３Ｃｓ  サブセンタポジションのアンテナ
３Ｌ    左側ポジションのアンテナ
３ａ、３ｆ  軸垂直回動軸
３ｂ、３ｇ  軸平行回動軸
３ｃ    アンテナプラグ
３ｅ    アンテナ本体
４      アンテナコネクタ
４Ｒ    右側アンテナコネクタ
４Ｃ    センタアンテナコネクタ
４Ｌ    左側アンテナコネクタ
４ａ    アンテナコネクタ回動軸
４ｂ    軸スライダ
４ｃ    アンテナプラグホール
５      ＵＳＢコネクタ
６      外部装置（ＰＣ）
６ａ、６ｂ  ＵＳＢコネクタ差込口
７      他の拡張装置
８      軸移動溝
【図１】
0003136403.tif 000003
【図２】
0003136403.tif 000004
【図３】
0003136403.tif 000005
【図４】
0003136403.tif 000006
【図５】
0003136403.tif 000007
【図６】
0003136403.tif 000008
【図７】
0003136403.tif 000009
【図８】
0003136403.tif 000010
【図９】
0003136403.tif 000011
【図１０】
0003136403.tif 000012
【図１１】
0003136403.tif 000013
【図１２】
0003136403.tif 000014
【図１３】
0003136403.tif 000015
【図１４】
0003136403.tif 000016
【図１５】
0003136403.tif 000017
【図１６】
0003136403.tif 000018
【図１７】
0003136403.tif 000019